(57)【要約】【課題】各々の筆記体及び操作体を交換する際、軸筒内から開口部を通して各々のコイルスプリングが脱落することを確実に防止できる多芯筆記具を提供する。【解決手段】軸筒２内に複数の筆記体６を前後方向に移動可能に収容する。筆記体６の後端に操作体７を連結し、操作体７を後方に付勢するコイルスプリング８を軸筒２内に収容する。軸筒２側壁に前後方向に延びる複数の窓孔４１を設け、窓孔４１から径方向外方に操作体７を突出させる。軸筒２後端に、窓孔４１を後方に開口させる開閉自在の開口部４２を設け、開口部４２を通して筆記体６及び操作体７を連結状態で軸筒２内から取り外し可能且つ軸筒２内に挿入可能に構成する。軸筒２内面に、前側支持部９３と後側支持部４３を設け、軸筒２内に筆記体６が収容される前の状態において、前側支持部９３にコイルスプリング８の前端が当接し且つ後側支持部４３にコイルスプリング８の後端が当接する。【選択図】  図４
2011084006.tif 000002
【特許請求の範囲】
【請求項１】
軸筒内に複数の筆記体を前後方向に移動可能に収容し、前記各々の筆記体の後端に操作体を連結し、前記各々の操作体を後方に付勢する複数のコイルスプリングを軸筒内に収容し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させてなり、軸筒の後端に、窓孔を後方に開口させる開閉自在の開口部を設け、前記開口部を通して筆記体及び操作体を連結状態で軸筒内から取り外し可能且つ軸筒内に挿入可能に構成した多芯筆記具であって、軸筒内面に、前側支持部と後側支持部を設け、軸筒内に筆記体が収容される前の状態において、前記前側支持部にコイルスプリングの前端が当接し且つ前記後側支持部にコイルスプリングの後端が当接することを特徴とする多芯筆記具。
【請求項２】
前記後側支持部に、ペン先突出状態の筆記体の後端の操作体が係止される請求項１記載の多芯筆記具。
【発明の詳細な説明】
【技術分野】
【０００１】
本発明は、多芯筆記具に関する。詳細には、軸筒内に複数本の筆記体を前後方向に移動可能に収容した多芯筆記具に関する。
【背景技術】
【０００２】
従来、この種の多芯筆記具において、特許文献１、特許文献２には、軸筒内に複数の筆記体を前後方向に移動可能に収容し、前記各々の筆記体を後方に付勢する複数のコイルスプリングを軸筒内に収容し、前記各々の筆記体の後端に操作体を連結し、軸筒の側壁に前後方向に延びる複数の窓孔を径方向に貫設し、前記各々の窓孔から径方向外方に前記各々の操作体を突出させ、一つの操作体を窓孔に沿って前方にスライドさせることにより、その一つの操作体に連結された筆記体のペン先を軸筒の前端孔から突出させるとともに、先に突出状態にあった他の筆記体のペン先を軸筒内に没入させる多芯筆記具であって、軸筒の後端に、窓孔を後方に開口させる開閉自在の開口部を設け、前記開口部を通して筆記体及び操作体を連結状態で軸筒内から取り外し可能且つ軸筒内に挿入可能に構成した多芯筆記具が開示されている。
【先行技術文献】
【特許文献】
【０００３】
【特許文献１】特開２００７−３０２４０号公報
【特許文献２】特開２００７−３０２４１号公報
【発明の概要】
【発明が解決しようとする課題】
【０００４】
前記特許文献１、特許文献２に記載の多芯筆記具は、筆記体を軸筒内に収容する前の状態において、コイルスプリングの前端は軸筒内のスプリング支持部に保持され、一方、コイルスプリングの後端はフリーとなっている。そのため、筆記体が収容されていない状態で軸筒に衝撃や振動が加わると、コイルスプリングの前端の保持状態が解除され、その結果、各々の筆記体及び操作体を交換する際、軸筒内から開口部を通して各々のコイルスプリングが脱落するおそれがある。
【０００５】
本発明は、前記従来の問題点を解決するものであって、各々の筆記体及び操作体を交換する際、軸筒内から開口部を通して各々のコイルスプリングが脱落することを確実に防止できる多芯筆記具を提供しようとするものである。
尚、本発明において、軸筒において、「前」とは前端孔側を指し、「後」とはその反対側を指し、筆記体において、「前」とはペン先側を指し、「後」とはその反対側を指す。
【課題を解決するための手段】
【０００６】
［１］本願の第１の発明は、軸筒２内に複数の筆記体６を前後方向に移動可能に収容し、前記各々の筆記体６の後端に操作体７を連結し、前記各々の操作体７を後方に付勢する複数のコイルスプリング８を軸筒２内に収容し、軸筒２の側壁に前後方向に延びる複数の窓孔４１を径方向に貫設し、前記各々の窓孔４１から径方向外方に前記各々の操作体７を突出させ、一つの操作体７を窓孔４１に沿って前方にスライドさせることにより、その一つの操作体７に連結された筆記体６のペン先６１を軸筒２の前端孔３１から突出させるとともに、先に突出状態にあった他の筆記体６のペン先６１を軸筒２内に没入させてなり、軸筒２の後端に、窓孔４１を後方に開口させる開閉自在の開口部４２を設け、前記開口部４２を通して筆記体６及び操作体７を連結状態で軸筒２内から取り外し可能且つ軸筒２内に挿入可能に構成した多芯筆記具であって、軸筒２内面に、前側支持部９３と後側支持部４３を設け、軸筒２内に筆記体６が収容される前の状態において、前記前側支持部９３にコイルスプリング８の前端が当接し且つ前記後側支持部４３にコイルスプリング８の後端が当接することを要件とする。
【０００７】
前記第１の発明の多芯筆記具１は、軸筒２内面に、前側支持部９３と後側支持部４３を設け、軸筒２内に筆記体６が収容される前の状態において、前記前側支持部９３にコイルスプリング８の前端が当接し且つ前記後側支持部４３にコイルスプリング８の後端が当接することにより、筆記体６が収容されていない状態で軸筒２に衝撃や振動が加わっても、コイルスプリング８が前後方向に移動しないため、各々の筆記体６及び操作体７を交換する際、軸筒２内から開口部４２を通して各々のコイルスプリング８が脱落することを確実に防止できる。
【０００８】
＜２＞本願の第２の発明は、前記第１の発明の多芯筆記具１において、前記後側支持部４３に、ペン先突出状態の筆記体６の後端の操作体７が係止されることを要件とする。
【０００９】
前記第２の発明の多芯筆記具１は、前記後側支持部４３に、ペン先突出状態の筆記体６の後端の操作体７が係止されることにより、前記後側支持部４３が、ペン先突出状態の筆記体６の後端の操作体７が係止される係止壁部を兼ねることにより、簡易な構造を維持できる。
【発明の効果】
【００１０】
本発明の多芯筆記具は、各々の筆記体及び操作体を交換する際、軸筒内から開口部を通して各々のコイルスプリングが脱落することを確実に防止できる。
【図面の簡単な説明】
【００１１】
【図１】本発明の多芯筆記具の実施の形態における全ペン先没入時（非筆記時）を示す縦断面図である。
【図２】図１の多芯筆記具の一つのペン先が突出した状態（筆記時）を示す縦断面図である。
【図３】図１の多芯筆記具の後端の開口部を開口させ、操作体を僅かに引き出した状態を示す側面図である。
【図４】図１の多芯筆記具の筆記体及び操作体を取り外した状態の軸筒を示す側面図である。
【図５】図４の縦断面図である。
【発明を実施するための形態】
【００１２】
図１乃至図５に本発明の実施の形態を示す。
本実施の形態の多芯筆記具１は、軸筒２内に複数本（具体的には２本）の筆記体６が前後方向に移動可能に収容される。前記各々の筆記体６の後端には操作体７が取り付けられる。前記軸筒２内には、前記筆記体６の本数に対応した複数（具体的には２個）のコイルスプリング８が収容される。前記各々の操作体７は、前記各々のコイルスプリング８により、後方に付勢されている。本実施の形態では、軸筒２内に収容する筆記体の本数は、２本であるが、これ以外にも、例えば、３本、４本、５本、６本であってもよい。
【００１３】
（コイルスプリング）
前記コイルスプリング８は、具体的には圧縮コイルスプリング８からなる。前記コイルスプリング８の前端部には、密着巻部が形成される。また、前記コイルスプリング８の後端部には、密着巻部が形成される。
【００１４】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３及び後軸４は、合成樹脂（例えば、ポリカーボネイト等）の射出成形により得られる。
【００１５】
前記後軸４の後部の側壁には、複数本（具体的には２本）の前後方向に延びる細長状の窓孔４１が、径方向に貫設される。前記２本の窓孔４１は、互いに、軸線に対して対称の位置（１８０度対称位置）に形成される。また、前記後軸４の後端部には、軸方向に貫通し且つ径方向外方に開口する開口部４２が形成される。前記開口部４２は、後軸４の後端（即ち軸筒２の後端）において窓孔４１と連通され、それにより、窓孔４１後端が後方に切り欠かれて後方に開口されている。一方、前記窓孔４１の前端は常時閉鎖されている。
【００１６】
また、前記後軸４の窓孔４１の相互間の側壁内面には、前後方向に延びるリブよりなる係止壁部４３が一体に形成され、前記係止壁部４３に、ペン先６１が突出した際の筆記体６の操作体７の後端が係止される。また、前記係止壁部４３は、筆記体６を軸筒２内に挿入する前の状態でコイルスプリング８の後端が当接する後側支持部を兼ねる。尚、前記後側支持部４３（係止壁部）は、軸筒２（後軸４）の内壁に一体に形成してもよいし、軸筒２内に別部材を収容配置することによって設けてもよい。
【００１７】
（隔壁）
また、前記軸筒２の内壁（即ち後軸４の内壁）には、前後方向に延び且つ径方向内方に突出する２本のリブよりなる隔壁４４が、軸線に対して対称位置に一体に形成される。前記隔壁４４は、前記係止壁部の相互間に形成されるとともに、その前端が、スプリング支持部９の後方且つ窓孔４１の前方に位置される。
【００１８】
前記後軸４の窓孔４１の相互間の側壁外面には、クリップ４５が設けられる。
【００１９】
（スプリング支持部）
軸筒２の内壁（即ち後軸４の内壁）には、円筒状のスプリング支持部９が固着される。前記スプリング支持部９は、筆記体６が挿通される複数（具体的には２個）の内孔９１が軸方向に貫設されている。前記スプリング支持部９の後面には、前側支持部９３が形成される。筆記体６を軸筒２内に収容した状態において、前記スプリング支持部９の前側支持部９３と、各々の操作体７の鍔部７５の前面との間には、コイルスプリング８が配置される。前記各々のコイルスプリング８の内部に筆記体６（即ちインキ収容管６２）が遊挿されるとともに、各々のコイルスプリング８の前端はスプリング支持部９の後面の前側支持部９３により係止され、各々のコイルスプリング８の後端は操作体７の鍔部７５の前面に係止される。尚、前記スプリング支持部９は、軸筒２内壁に一体に形成されてもよい。
【００２０】
また、前記スプリング支持部９の後面の各々の内孔９１の周囲には、周状壁部よりなる保持部９２が形成される。前記各々の保持部９２の内面には、各々のコイルスプリング８の前端部（即ち密着巻部）外面が圧入保持される。即ち、各々の保持部９２により各々のコイルスプリング８の前端部（即ち密着巻部）が径方向内方に保持される。
【００２１】
（スプリング収容部）
前記スプリング支持部９の後方の軸筒２内（即ち後軸４内）には、複数（具体的には２個）のスプリング収容部が形成される。前記スプリング収容部の相互間には前記隔壁４４が配置される。本実施の形態では、前記隔壁４４は、１８０度対称位置より径方向内方に突出される２本のリブからなる。前記スプリング収容部には、コイルスプリング８が収容される。
【００２２】
図４及び図５に示すように、筆記体６及び操作体７を軸筒２内から取り外した状態のとき（即ち筆記体６及び操作体７を軸筒２内に収容する前の状態のとき）、軸筒２内において、各々のコイルスプリング８の後端が後側支持部４３（係止壁部）に当接され、一方、各々のコイルスプリング８の前端がスプリング支持部９の後面の前側支持部９３に当接されている。それにより、軸筒２に衝撃や振動が加わっても、コイルスプリング８の前後方向のがたつきが防止されるため、各々の筆記体６及び操作体７を交換する際、軸筒２内から開口部４２を通して各々のコイルスプリング８が脱落することを防止できる。
【００２３】
（蓋部）
前記後軸４の後端部には、前記開口部４２を開閉自在にする蓋部５が回動自在に設けられる。前記蓋部５の一端部は、クリップ４５基部に、ヒンジ部５２により回動自在に接続される。前記ヒンジ部５２は、ペン先下向きでクリップ４５を正面視したときのクリップ４５の左右方向に延設され、それにより、前記蓋部５は、略前後方向に回動自在となる。前記蓋部５の前面には、当接壁部５１が形成される。前記当接壁部５１に、没入状態の筆記体６の後端に連結された各々の操作体７の後端が、衝止される。
【００２４】
前記蓋部５の他端部の前面には、係合部５３が設けられる（具体的には係合凹部または係合孔部が形成される）。後軸４の後端には、前記係合部５３と係合可能な被係合部４６が設けられる（具体的には係合凸部が突設される）。前記係合部５３（係合凹部または係合孔部）の内面には、内向突起が形成され、一方、前記被係合部４６（係合凸部）の外面には、前記内向突起と乗り越え係止可能な外向突起が形成される。
【００２５】
前記係合部５３と前記被係合部４６とは、蓋部５が開口部４２を閉鎖した際、互いに係合状態にあり（具体的には内向突起と外向突起が乗り越え係止状態にあり）、コイルスプリング８の後方への付勢による操作体７と蓋部５の前面の当接壁部５１との当接では、その係合状態は解除されず、蓋部５が開くことはない。
【００２６】
（筆記体）
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキが収容される。前記インキが、剪断減粘性を有する水性ゲルインキ、低粘度の水性インキ、または低粘度の油性インキの場合、インキ収容管６２内のインキの後端には、インキの消費に伴い前進する高粘度流体からなる追従体が充填される。
【００２７】
また、前記ボールペンチップは、前端に回転可能に抱持されたボールをコイルスプリング等により前方に付勢し、前端縁部の内面にボールを密接させる構成でもよい。また、ボールペンチップは、インキ収容管６２の前端開口部に圧入等により直接、取り付けてもよいが、本実施の形態ではペン先ホルダーを介してインキ収容管６２の前端開口部に固着される。尚、本発明では、前記筆記体６は、ボールペンレフィル以外に、例えば、シャープペンシルレフィル、マーキンペンレフィル、入力ペンレフィル等が挙げられる。
【００２８】
（操作体）
前記各々の筆記体６の後端（即ちインキ収容管６２の後端開口部）には、操作体７が取り付けられる。前記各々の操作体７は、後端部に形成され且つ軸筒２の窓孔４１から外部に突出する操作部７１と、該操作部７１の径方向反対側に設けられる前側突出部７２と、該操作部７１の径方向反対側の前側突出部７２の後方に設けられる後側突出部７３と、前端部に形成され且つインキ収容管６２の後端開口部に嵌入される嵌入部７４と、該嵌入部７４の後方に形成される鍔部７５とを備える。前記嵌入部７４は、インキ収容管６２の後端開口部に嵌入された際、インキ収容管６２の後端開口部を完全には塞がず、インキ収容管６２の内部と外部とを通気可能にする。また、筆記体６を軸筒２内に収容した状態において、前記鍔部７５の前面にコイルスプリング８の後端が係止される。
【００２９】
筆記体６のペン先６１が没入状態のとき、その筆記体６に取り付けられた操作体７の後端部は、蓋部５の前面に形成された当接壁部５１に衝止される。一方、筆記体６のペン先６１が突出状態のとき、その筆記体６に取り付けられた操作体７の後端部は、軸筒２の内壁に形成された後側支持部４３（係止壁部）に係止される。
【００３０】
ペン先没入状態にある筆記体６の後端に連結された操作体７の前側突出部７２は、その操作体７の操作部７１を前方にスライド操作した際、先に突出状態にある他の筆記体６の後端に連結された操作体７の後側突出部７３と当接され、他の筆記体６のペン先突出状態が解除される。
【００３１】
（ペン先の出没）
本実施の形態におけるペン先６１の出没作動について説明する（図１及び図２参照）。
一つの操作体７の操作部７１をコイルスプリング８の後方付勢に抗して窓孔４１に沿って前方にスライド操作すると、そのスライド操作された操作体７の前側突出部７２が、先に突出状態にある他の筆記体６の操作体７の後側突出部７３を径方向外方に持ち上げる。それにより、軸筒２内壁の後側支持部４３（係止壁部）と操作体７との係止状態が解除され、他の筆記体６がコイルスプリング８の後方付勢により後方に移動され、他の筆記体６のペン先６１が軸筒２内に没入され、他の筆記体６の操作体７の後端が蓋部５の前面の当接壁部５１に当接衝止される。前記他の筆記体６のペン先６１の没入と同時に、前記前方にスライド操作した操作体７に連結された筆記体６のペン先６１が、軸筒２の前端孔３１より外部に突出されるとともに、前方にスライド操作された操作体７の後端が軸筒２内壁の後側支持部４３（係止壁部）に係止され、そのペン先突出状態が維持される。
【００３２】
（筆記体及び操作体の交換）
本実施の形態における筆記体６及び操作体７の交換について説明する。
筆記体６を交換する際、蓋部５が軸筒２の後端の開口部４２を閉鎖した状態（図１参照）から、蓋部５のヒンジ部５２と反対側の操作端部を後方に押圧し、係合部５３と被係合部４６との係合を解除し、蓋部５を後方に回動させ、軸筒２の後端の開口部４２を開口する。前記開口部４２を開口させると、前記開口部４２から各々の操作体７が、コイルスプリング８の後方付勢により後方外部に突出される。前記軸筒２の後端の開口部４２が開口した状態（図３参照）で、操作体７を取り出すことにより、その操作体７と互いに連結状態にある筆記体６を、前記開口部４２を通して軸筒２内から取り出す。その後、互いに連結状態にある新たな筆記体６と新たな操作体７とを前記開口部４２を通して軸筒２内に挿入する。そして、蓋部５の当接壁部５１に各々の操作体７を当接させ、各々の操作体７を前方に押圧しながら蓋部５を前方に回動させ、その後、係合部５３と被係止部とを係合させ、開口部４２を閉鎖する。これにより、筆記体６及び操作体７の交換作業が終了する。
【００３３】
（筆記具及び操作体の交換時のコイルスプリング）
また、図４及び図５に示すように、本実施の形態の多芯筆記具１の筆記具及び操作体７の交換時において、互いに連結状態の筆記体６及び操作体７を軸筒２後端の開口部４２を通して軸筒２内から取り外すと、軸筒２内において、コイルスプリング８の後端部が後側支持部４３（係止壁部）に係止される。一方、このとき、コイルスプリング８の前端部がスプリング支持部９の保持部９２により保持されている。そのため、コイルスプリング８の前後方向のがたつきが防止され、この状態で軸筒２に衝撃や振動が加わっても、コイルスプリング８が開口部４２を通して外部に脱落することを確実に防止できる。
【符号の説明】
【００３４】
１  多芯筆記具
２  軸筒
３  前軸
３１  前端孔
４  後軸
４１  窓孔
４２  開口部
４３  後側支持部（係止壁部）
４４  隔壁
４５  クリップ
４６  被係合部
５  蓋部
５１  当接壁部
５２  ヒンジ部
５３  係合部
６  筆記体
６１  ペン先（ボールペンチップ）
６２  インキ収容管
７  操作体
７１  操作部
７２  前側突出部
７３  後側突出部
７４  嵌入部
７５  鍔部
８  コイルスプリング
９  スプリング支持部
９１  内孔
９２  保持部
９３  前側支持部
【図１】
2011084006.tif 000003
【図２】
2011084006.tif 000004
【図３】
2011084006.tif 000005
【図４】
2011084006.tif 000006
【図５】
2011084006.tif 000007